(57)【要約】  層もしくは円筒として形成され、かつ高温または低温を保持し、ユーザの皮膚と弾性材料との間に保護カバーおよび布裏地を提供し、よってユーザの体に合わせて均一に分配された全体的な低温もしくは高温の適用を提供する機能、ユーザの皮膚と温熱もしくは寒冷療法との間の布裏地、さらにはクリップもしくはバックルを必要としない圧迫療法の適用を提供することができる、弾性材料との接触および弾性材料に接着された弾性布を通してそのような温度を照射することができる、弾性材料または他の伸縮性材料。
2018525194.tif 000002
【特許請求の範囲】
【請求項１】
体の一部を巻くための装置であって、
層として形成され、かつ第１の表面と第２の表面とを有する弾性材料であって、前記体の一部に高温または低温を伝達し、前記体の一部を圧迫するように構成された、弾性材料と、
前記弾性材料の前記第１の表面および前記第２の表面に接着された弾性布であって、前記第１の表面に対する保護カバーと前記第２の表面に対する裏地とを提供するように構成された、弾性布と
を備える、装置。
【請求項２】
前記弾性材料が、スリーブ形状に構成されている、請求項１に記載の装置。
【請求項３】
前記弾性材料が、管形状に構成されている、請求項１に記載の装置。
【請求項４】
前記弾性材料が、テーパ状である、請求項３に記載の装置。
【請求項５】
前記弾性材料が、第１のスリーブ開口と第２のスリーブ開口とを有するように構成されている、請求項３に記載の装置。
【請求項６】
前記第１のスリーブ開口が、前記第２のスリーブ開口の第２のスリーブ開口径より大きい第１のスリーブ開口径を有するように構成されている、請求項５に記載の装置。
【請求項７】
前記弾性材料が、前記第１のスリーブ開口から前記第２のスリーブ開口へとテーパ状である、請求項６に記載の装置。
【請求項８】
前記弾性材料がさらに、周縁部を有する１つ以上の材料側部を含む、請求項１に記載の装置。
【請求項９】
前記周縁部が、密閉できるようになっている、請求項８に記載の装置。
【請求項１０】
前記弾性材料が、管形状に構成されている、請求項８に記載の装置。
【請求項１１】
前記弾性材料が、テーパ状である、請求項１０に記載の装置。
【請求項１２】
前記弾性布がさらに、少なくとも１つの布縁部を有するように構成された１つ以上の布側部を含む、請求項８に記載の装置。
【請求項１３】
前記少なくとも１つの布縁部が、密閉できるようになっている、請求項１２に記載の装置。
【請求項１４】
前記密閉部が、縫合されている、請求項１３に記載の装置。
【請求項１５】
前記少なくとも１つの布縁部がさらに、第１の布縁部と第２の布縁部とを含む、請求項１２に記載の装置。
【請求項１６】
前記第１の布縁部および前記第２の布縁部が、管形状を形成するように密閉できるようになっている、請求項１２に記載の装置。
【請求項１７】
前記密閉部が、縫合されている、請求項１６に記載の装置。
【請求項１８】
前記管形状が、テーパ状である、請求項１６に記載の装置。
【請求項１９】
高温または低温の伝達および圧迫スリーブを利用してユーザの体の一部を内部に巻く方法であって、
第１の表面と第２の表面とを有する弾性材料を金型内に形成するステップであって、前記弾性材料が、前記体の一部に高温または低温を伝達し、前記体の一部を圧迫するように構成されている、形成するステップと、
第１の弾性布と第２の弾性布とを有する弾性布の上に前記弾性材料を位置付けるステップであって、前記第１の弾性布が前記第１の表面に接着し、前記第２の弾性布が前記弾性材料の前記第２の表面に接着し、前記弾性布が、前記第１の表面に対する保護カバーと、前記第２の表面に対する裏地とを提供するように構成されている、位置付けるステップと、
前記弾性材料に対して前記弾性布を加圧するステップと、
前記第２の弾性布に第１の弾性布を密閉して前記弾性材料を内部に保持するステップと、
前記第２の弾性布の第２の布縁部に前記第１の弾性布の第１の布縁部を固着させて開口管を形成するステップと
を含む方法。
【請求項２０】
前記高温または低温伝達および圧迫スリーブを低温もしくは高温環境に曝すステップをさらに含む、請求項１９に記載の方法。
【請求項２１】
前記開口管を通して前記ユーザの体の一部を適合させる、請求項２０に記載の方法。
【請求項２２】
前記ユーザの体の一部がさらに、膝を含む、請求項２１に記載の方法。
【発明の詳細な説明】
【技術分野】
【０００１】
本開示は、一般に、四肢または体の一部のカバーに関する。
【０００２】
より具体的には、本開示は、体の一部の捻挫、緊張、または打撲を治療するために、凍結療法と圧迫とを組み合わせた寒冷および圧迫療法用装置に関する。
【背景技術】
【０００３】
筋肉および関節の損傷は、生活、スポーツ、および運動においてよく起こる。肘、膝、または足首の捻挫等の損傷後は出来るだけ早く、痛みおよび腫れを緩和させ、静養、氷、圧迫、および持ち上げにより治癒を促進することが可能である。具体的には、氷は痛みおよび腫れを低減するし、圧迫、または損傷もしくは疼痛部位を弾性包帯（Ａｃｅ  ｗｒａｐ等）で巻くことは、腫れを低減させる助けになるだろう。
【０００４】
炎症は、特に損傷に対する反応として、体の一部が赤くなり、腫れ、熱を持ち、痛みを伴うことも多い、局部の身体状態である。
【０００５】
１つの手法は、靱帯捻挫、筋挫傷、打撲等の部位の上の皮膚をアイシングするか、または氷を適用する（凍結療法）という概念である。氷はまた、手根管症候群、テニス肘、棘上筋腱炎、腸脛靱帯症候群、膝蓋大腿痛症候群、脛骨過労性骨膜炎、足裏筋膜炎、または腱炎等の慢性的な酷使または組織の疲労損傷、特に反復性損傷からの関節の治癒の助けとなることが多い。
【０００６】
この手法による１つの欠点は、氷は湿っており、特にいったん溶け始めると滑りやすく、損傷部位の所定位置に保持するのが困難になる。さらに、氷は、堅く、適合せず、温度によって変動し、最初は過度に冷たく、次に、いったん氷が部分的に溶けると損傷と氷との間に断熱する水を残すため、十分に冷たくない。さらに、氷は、皮膚に直接適用されるべきでなく、むしろ、タオルまたは他の布裏地が、皮膚と氷との間に配置されるべきである。
【０００７】
別の手法は、上に列挙された損傷のうちの１つ等の損傷部位に対する圧迫療法または圧迫の適用という概念である。圧迫は、単純かつ有用な機械的原則であり、靱帯捻挫、筋挫傷、打撲または同様のものの部位の周りに弾性帯を適用することで、損傷を安静にし、腫れを引かせるものである。
【０００８】
この手法の１つの欠点は、弾性帯を過度に密着して巻くと、損傷部位の腫れを悪化させてしまうことである。さらに、この手法は、弾性帯を所定位置に保持するために、クリップもしくはバックル等の外部締付具を必要とする。さらに、肘、膝、足首、または肩等の関節の周りに弾性帯を巻くというこの手法では、関節の使用または運動中にそのグリップが緩んでしまう。
【発明の概要】
【発明が解決しようとする課題】
【０００９】
したがって、上で考察された問題の少なくともいくつかの態様に取り組むために設計された凍結療法および圧迫スリーブならびに使用方法の必要性が満たされていないとの認識があることは、容易に明らかである。
【課題を解決するための手段】
【００１０】
簡潔に記載すると、例示的な実施形態において、本発明の装置は、上に述べた欠点を解消し、層もしくは円筒として形成され、かつ高温または低温を保持し、ユーザの皮膚と弾性材料との間に保護カバーおよび布裏地を提供し、よってユーザの体に合わせて均一に分配された全体的な低温もしくは高温の適用を提供する機能、ユーザの皮膚と温熱もしくは寒冷療法との間の布裏地、さらにはクリップもしくはバックルを必要としない圧迫療法の適用を提供することができる、弾性材料との接触および弾性材料に接着された弾性布を通してそのような温度を照射することができる、一般に、弾性材料または他の伸縮性材料を含む、凍結療法および圧迫スリーブならびに使用方法に対する認識された必要性を満たす。
【００１１】
例示的な実施形態において、体の一部を巻くための装置であって、層として形成され、かつ第１の表面と第２の表面とを有する弾性材料であって、体の一部に高温または低温を伝達し、体の一部を圧迫するように構成された、弾性材料と、弾性材料の第１の表面および第２の表面に接着された弾性布であって、第１の表面に対する保護カバーと第２の表面に対する裏地とを提供するように構成された、弾性布と、を含む装置。
【００１２】
高温または低温の伝達および圧迫スリーブを利用してユーザの体の一部を内部に巻く方法のさらなる例示的な実施形態において、第１の表面と第２の表面とを有する弾性材料を金型内に形成するステップであって、弾性材料が、体の一部に高温または低温を伝達し、体の一部を圧迫するように構成されている、形成するステップと、第１の弾性布と第２の弾性布とを有する弾性布の上に弾性材料を位置付けるステップであって、第１の弾性布が第１の表面に接着し、第２の弾性布が弾性材料の第２の表面に接着し、弾性布が、第１の表面に対する保護カバーと第２の表面に対する裏地とを提供するように構成されている、位置付けるステップと、弾性材料に対して弾性布を加圧するステップと、第２の弾性布に第１の弾性布を密閉して弾性材料を内部に保持するステップと、第２の弾性布の第２の布縁部に第１の弾性布の第１の布縁部を固着させて開口管を形成するステップと、を含む方法。
【００１３】
したがって、凍結療法および圧迫スリーブならびに使用方法の特徴は、層、円筒、または他の形状として形成され、足首、膝、手首、肘、または他の体の一部等の体の一部もしくは四肢の区分を覆うように構成された、弾性材料もしくは他の互換性のある温熱／寒冷多方向伸縮性材料を利用することができることである。
【００１４】
凍結療法および圧迫スリーブならびに使用方法の別の特徴は、ユーザの皮膚と弾性材料との間の遷移バリアとして機能する、弾性材料に対する外部保護カバーと弾性材料に対する内側布裏地とを提供するように構成された、弾性布もしくは他の互換性のある多方向伸縮性布を利用することができることである。
【００１５】
凍結療法および圧迫スリーブならびに使用方法のまた別の特徴は、円筒状に形成されるか、もしくは管形状であることができ、または一端から他端へのテーパ状および各端上の開口を有するか、もしくは有せずに形成可能であることである。
【００１６】
凍結療法および圧迫スリーブならびに使用方法のまた別の特徴は、足首、膝、手首、肘、または他の体の一部等の体の一部もしくは四肢の区分等の標的部位を完全に覆うか、または囲み、その適合および配置を維持することができることである。
【００１７】
凍結療法および圧迫スリーブならびに使用方法のまた別の特徴は、ピン、締付具、紐、包み、金具、または他の締付具を使用せずに、足首、膝、手首、肘、または他の体の一部等の体の一部もしくは四肢の区分等のユーザの標的部位上に片手を装着することができることである。
【００１８】
凍結療法および圧迫スリーブならびに使用方法のまた別の特徴は、平らな構成で保存することができることであり、特に冷凍庫で冷却するときに、積み重ねるか、巻くか、もしくは折り畳むことで小さい空間を占めることができる。
【００１９】
凍結療法および圧迫スリーブならびに使用方法のまた別の特徴は、熱いか、温かいか、涼しいか、もしくは冷たいかどうかに関わらず、いつでもその軟性で柔軟な形態を維持することができることである。
【００２０】
凍結療法および圧迫スリーブならびに使用方法のまた別の特徴は、その形状を失わずに、加熱および冷却することができることである。
【００２１】
凍結療法および圧迫スリーブならびに使用方法のまた別の特徴は、弾性布により完全に封入された弾性材料を提供することである。
【００２２】
凍結療法および圧迫スリーブならびに使用方法のまた別の特徴は、スリーブを共に加熱または冷却することを可能にする弾性布により封入された一体的な弾性材料を提供することである。
【００２３】
凍結療法および圧迫スリーブならびに使用方法のまた別の特徴は、皮膚と冷却源との間に位置付けられた一体的な布裏地を有する弾性布により封入された一体的な弾性材料を提供することである。
【００２４】
凍結療法および圧迫スリーブならびに使用方法のまた別の特徴は、氷、氷嚢、またはゲルパックとは異なる弾性布スリーブにより封入された一体的な弾性材料を形成する不凝縮状態を提供することで、氷、氷嚢、またはゲルパックを損傷部位上の所定位置に保持することが困難になることである。
【００２５】
凍結療法および圧迫スリーブならびに使用方法のまた別の特徴は、弾性布スリーブにより封入された、柔軟に適合する一体的な弾性材料を提供することである。
【００２６】
凍結療法および圧迫スリーブならびに使用方法のまた別の特徴は、弾性材料対大きな温度変動から形成された、より一定の温度装置を提供することで、最初は過度に冷たく、次に、いったん氷または氷嚢が溶け始めると十分に冷たくないことである。
【００２７】
凍結療法および圧迫スリーブならびに使用方法のまた別の特徴は、種々の大きさの弾性布スリーブにより封入された柔軟に適合する一体的な弾性材料を提供することで、過度に密着して適合することによる損傷部位の腫れの悪化を防ぐことである。
【００２８】
凍結療法および圧迫スリーブならびに使用方法のまた別の特徴は、弾性帯を所定位置に保持するために、クリップもしくはバックル等の外部締付具を必要としない弾性布スリーブにより封入された柔軟に適合する一体的な弾性材料を提供することである。
【００２９】
凍結療法および圧迫スリーブならびに使用方法のまた別の特徴は、肘、膝、または肩等の関節の周りで緩まないか、または関節の使用または運動中にそのグリップを緩めない、弾性布スリーブにより封入された柔軟に適合する一体的な弾性材料を提供することである。
【００３０】
凍結療法および圧迫スリーブならびに使用方法のまた別の特徴は、安全、単純、安価かつ自己適用が容易であることである。
【００３１】
凍結療法および圧迫スリーブならびに使用方法のまた別の特徴は、患部に対する痛み、筋肉の痙攣、炎症、および出血もしくは腫れを低減させる行為の後に、迅速かつ容易な適用による寒冷および圧迫の両方を可能にすることである。
【００３２】
凍結療法および圧迫スリーブならびに使用方法のまた別の特徴は、痛みおよび炎症を引き起こす化学物質の放出を低減させるために、寒冷および圧迫の両方を可能にすることである。
【００３３】
これらおよび他の凍結療法および圧迫スリーブならびに使用方法は、添付の図に照らして読んだときに、下記の実施形態の詳細な説明および特許請求の範囲から当業者により明らかになるだろう。
【００３４】
本凍結療法および圧迫スリーブならびに方法は、同様の符号が同様の構造を表し、全体を通して同様の要素を指す、添付の図を参照して実施形態の詳細な説明を読むことにより、より理解されるだろう。
【図面の簡単な説明】
【００３５】
【図１】図１は、凍結療法および圧迫スリーブの例示的な実施形態の側面斜視図である。
【図２】図２は、図１に示す凍結療法および圧迫スリーブの断面図である。
【図３】図３は、図１に示す凍結療法および圧迫スリーブの例示的な実施形態の複数の着用可能な位置により示すユーザの正面図である。
【図４】図４は、図１に示す凍結療法および圧迫スリーブの例示的な実施形態の弾性材料を形成するために利用された金型トレイの斜視図である。
【図５】図５は、図１に示す凍結療法および圧迫スリーブの弾性布に固着された弾性材料の斜視図である。
【図６】図６は、図１に示す凍結療法および圧迫スリーブの弾性布に固着された一体的な弾性材料を形成するステップのフロー図である。
【発明を実施するための形態】
【００３６】
提示されている図は、図示のためにのみ企図されており、したがって、請求された本発明にとって本質的であると見なされ得る限りのものを除いて、示されている構造の正確な詳細のいずれかに、またはそのすべてに、本開示を限定するものとして記載されておらず、またそのように企図されてもいないことに留意すべきである。
【００３７】
本開示の例示的な実施形態を記載するにあたって、図１〜６に図示されるように、特定の専門用語は、明確化のために用いられている。しかしながら、本開示は、そのようにして選択された特定の専門用語に限定されることを企図するものではなく、各特定の要素は、同様の機能を達成するために同様の方法で動作するすべての技術的等価物を含むことが理解されるべきである。しかしながら、特許請求の範囲の実施形態は、多くの異なる形態で具現化されてもよく、本明細書に記載されている実施形態に限定されるものと解釈されるべきではない。本明細書に記載されている実施例は、非制限的な例であって、他の可能な例中の単なる例である。
【００３８】
次に、図１を参照すると、凍結療法および圧迫スリーブ１０の例示的な実施形態が図示される。凍結療法および圧迫スリーブ１０は、スリーブ本体２０を含み得、スリーブ本体２０は、管もしくは円筒形状または開口端式の管状スリーブの形態に構成または形状決めされ得る。本明細書中で、スリーブ本体２０は、管もしくは円筒の形態で形状決めされるか、または平面形状で形成され、かつ管もしくは円筒へと巻かれ得ると考えられる。さらに、スリーブ本体２０は、第１のスリーブ開口２１および第２のスリーブ開口２２等の１つ以上の開口もしくは穴を含み得る。本明細書中でさらに、スリーブ本体２０は、第１のスリーブ開口２１と第２のスリーブ開口２２との間でテーパ状であり得る。このように、第１のスリーブ開口２１は、第１のスリーブ開口径３１が（直径で）第２のスリーブ開口径３２を超え、これに対してテーパ状であるか、またはその逆等、より大きい半径（これを超える）もしくはスリーブ開口径３０を有するように構成され得ると考えられる。さらに、凍結療法および圧迫スリーブ１０またはスリーブ本体２０は、スリーブ本体２０の第１のスリーブ開口２１および第２のスリーブ開口２２の周囲に及ぶか、またはこれを横断する第１のスリーブ縁部２８および第２のスリーブ縁部２９、ならびに／またはスリーブ本体２０の長さに及ぶか、これを横断する第１のスリーブ直線状縁部２６．１および第２のスリーブ直線状縁部２６．２等の１つ以上の縁部を含み得る。第１のスリーブ縁部２８および第２のスリーブ縁部２９のいずれかは、折り畳みスリーブ縁部２７または巻締めスリーブ縁部２４を含み得る。第１のスリーブ直線状縁部２６．１、第２のスリーブ直線状縁部２６．２、および／または第１のスリーブ縁部２８は、単一もしくは複数の縫い、縁取り、糊付け、紐、編み、加熱、熱圧着、ステープル綴じ、スナップ止め、面ファスナー、テープ止めを介して縫合されること等により、密閉され（密閉部）、固着され得るか、または別様に、凍結療法および圧迫スリーブ１０またはスリーブ本体２０を管もしくは円筒の形態に構成するか、もしくは形状決めするように取り付けられ得る。
【００３９】
使用時に、例えば、第１のスリーブ開口２１および第２のスリーブ開口２２を通してユーザの手をスライドさせ、凍結療法および圧迫スリーブ１０をユーザの二頭筋まで引っ張るか、もしくはスライドさせてユーザの肘の周りにスリーブ本体２０を位置付けるときに、より大きい開口の第１のスリーブ開口２１が、ユーザの二頭筋を把持し、より小さい開口の第２のスリーブ開口２２が、ユーザの前腕を把持する。ユーザの手首、前腕、膝、足首、および他の体の一部に対して、同様の使用が認識される。
【００４０】
次に、図２を参照すると、凍結療法および圧迫スリーブ１０の共通区分の断面図の例示的な実施形態が図示される。凍結療法および圧迫スリーブ１０またはスリーブ本体２０は、弾性材料４０等の柔軟な温熱もしくは寒冷伝達材料もしくはゲル、または層、管、円筒、曲げとして、もしくは別様に形状決めされることができ、かつ高温または低温を保持し、接触を通してそのような温度変化または伝達を照射することができる、他の伸縮可能な材料を含み得る。本明細書中で、弾性材料４０は、９０度もしくは任意の他の鋭角での管もしくは円筒または曲げの形態で形状決めされ得るか、または平面形状で形成され、かつ直径３０を有する筒もしくは円筒へと巻かれ得ると考えられる。一実施形態において、弾性材料４０は、周縁部４３または第１の材料側部４１および第２の材料側部４２等の１つ以上の材料側部を有する平面形状で形成され得る。さらに、弾性材料４０は、第１の材料表面４４および第２の材料表面４６等の１つ以上の表面４５を有するように構成され得る。
【００４１】
弾性材料４０は、好ましくは、温熱／寒冷吸収および伝達可能材料（熱伝達）および／または多方向伸縮弾性材料から形成されるか、またはそのような材料が十分な温熱／寒冷吸収および伝達能力を有すると仮定して使用され得る、ポリマー、ゲル、または同様のもの等の他の好適な材料、および／または、足首、膝、手首、肘、または他の体の一部等の体の一部もしくは四肢の区分を覆う、層、円筒、または他の形状として形成されることができ、かつ本明細書で記載されている目的を満たすような耐久性を有する、多方向伸縮弾性材料から構築される。
【００４２】
さらに、凍結療法および圧迫スリーブ１０またはスリーブ本体２０は、弾性材料４０もしくは布裏地の周りの保護カバーまたはユーザの皮膚と弾性材料４０との間の断熱を提供するように構成された弾性布５０等の伸縮可能な布もしくは裏地を含み得る。本明細書中で、弾性布５０は、第１の材料表面４５および第２の材料表面４６等の１つ以上の表面４５に接着される（接着）か、または固着され得、弾性布５０は、第１の材料表面４５に固着もしくは接着された第１の弾性布５１等の保護外部カバーと、第２の材料表面４６に固着または接着された第２の弾性布５２等の保護内部もしくは断熱カバーとを含み得ると考えられる。
【００４３】
またさらに、第１の材料側部４１は、第１の布縁部６１を形成するように第１の材料側部４１から延在する第１の弾性布５１と第２の弾性布５２とを含み得、第１の布縁部６１は、単一もしくは複数の縫い、縁取り、糊付け、紐、編み、加熱、熱圧着、ステープル綴じ、スナップ止め、面ファスナー、テープ止めを介して縫合される７１等、密閉され、固着され得るか、または別様に、弾性布５０の内部に弾性材料４０を保持するように取り付けられ得る。同様に、第２の材料側部４２は、第２の布層縁部６２を形成するように、第２の材料側部４２から延在する第１の弾性布５１と第２の弾性布５２とを含み得、第２の布層縁部６２は、単一もしくは複数の縫い、縁取り、糊付け、紐、編み、加熱、熱圧着、ステープル綴じ、スナップ止め、面ファスナー、テープ止めを介して縫合される７２等、密閉され、固着され得るか、または別様に、弾性布５０の内部に弾性材料４０を保持するように取り付けられ得る。
【００４４】
一実施形態において、第１の布縁部６１および第２の布縁部６２は、単一もしくは複数の縫い、縁取り、糊付け、紐、編み、加熱、熱圧着、ステープル綴じ、スナップ止め、面ファスナー、テープ止めを介して縫合される７３等、密閉され、固着され得るか、または別様に、足首、膝、手首、肘、または他の体の一部等の体の一部もしくは四肢の区分を覆う直径３０または他の形状を有する、円筒、スリーブ形状、または管、管形状、もしくは開口管として弾性材料４０と組み合わせるか、またはこれと一体的な、多方向伸縮弾性布５０を形成するように取り付けられ得る。
【００４５】
弾性布５０は、好ましくは、そのような材料が十分な温熱／寒冷吸収および伝達能力を有すると仮定して使用され得る、多方向伸縮性材料もしくは圧迫布、またはナイロン、合成繊維、ポリマー、スパンデックス、または同様のもの等の他の好適な材料、および／または足首、膝、手首、肘、または他の体の一部等の体の一部もしくは四肢の区分を覆う、層、円筒、または他の形状として形成されることができ、かつ本明細書で記載されている目的を満たすような耐久性もしくは抗菌性を有する、多方向伸縮弾性材料から形成される。
【００４６】
次に、図３を参照すると、ユーザＵの上に位置付けられた１つ以上の凍結療法および圧迫スリーブ１０の例示的な実施形態が図示される。使用時に、凍結療法および圧迫スリーブ１０．１は、手用スリーブとしてユーザＵの左手または右手Ｈの上に適合または位置付けられ得、凍結療法および圧迫スリーブ１０．２は、腕用スリーブとしてユーザＵの左または右前腕Ｆ（手Ｈ、手首Ｗ、および／または前腕Ｆ）の上に適合または位置付けられ得、凍結療法および圧迫スリーブ１０．３は、肘用スリーブとしてユーザＵの左または右肘Ｅの上に適合または位置付けられ得、凍結療法および圧迫スリーブ１０．４は、肩用スリーブとしてユーザＵの左または右肩Ｓの上に適合または位置付けられ得、凍結療法および圧迫スリーブ１０．５は、脚用スリーブとしてユーザＵの左または右脚Ｆｔの上に適合または位置付けられ得、凍結療法および圧迫スリーブ１０．６は、足首用スリーブとしてユーザＵの左または右足首Ａの上に適合または位置付けられ得、凍結療法および圧迫スリーブ１０．７は、ユーザＵの左または右脛Ｓｈの上に適合または位置付けられ得、凍結療法および圧迫スリーブ１０．８は、膝スリーブとしてユーザＵの左または右膝Ｋの上に適合または位置付けられ得、凍結療法および圧迫スリーブ１０．９は、大腿部用スリーブとしてユーザＵの左または右大腿部Ｔの上に適合または位置付けられ得、ユーザＵの体の一部もしくは四肢の区分、または他の体の一部の任意の他の組み合わせの上に適合または位置付けられ得る。凍結療法および圧迫スリーブ１０をユーザＵの体の一部もしくは四肢の区分、または他の体の一部の上に位置付けるために、ユーザＵは、手Ｈまたは脚Ｆｔを第１のスリーブ開口２１の内部に位置付け、第１のスリーブ縁部２８を引っ張り、ユーザＵの体の一部もしくは四肢の区分をスリーブ本体２０の内部に挿入して、スリーブ本体２０をユーザＵの体の一部もしくは四肢の区分、またはユーザＵの他の体の一部の上に位置付け、かつ任意の取り付け具、金具、または同様のものを使用せずに、弾性材料４０と組み合わせるか、またはこれと一体的な、ユーザＵおよび弾性布５０に対する直径３０の大きさで所定位置に保持しなければならない。
【００４７】
次に、図４を参照すると、弾性材料４０を形成するために利用された金型トレイの例示的な実施形態が図示される。プレ弾性材料４０の溶液もしくは混合物を、トレイ４８等の金型もしくは鋳型内に注入して、１つ以上の弾性材料４０の平面区分を硬化させる。いったん硬化されるか、または大部分が硬化されると、凍結療法および圧迫スリーブ１０として組み立てるためにトレイ４８から取り除き得る。
【００４８】
次に、図５を参照すると、凍結療法および圧迫スリーブ１０の組立体の例示的な実施形態が図示される。硬化されたか、部分的または大部分が硬化された弾性材料４０が、弾性布５０の第１の区分の上に位置付けられ得、より具体的には、第１の材料表面４４が、第１の弾性布５１の上に位置付けられ得る。次に、弾性布５０の第２の区分（または示されている折り畳み区分）が、弾性材料４０の上に位置付けられ得、より具体的には、第２の弾性布５２が、第２の材料表面４６の上に位置付けられ得る。次に、凍結療法および圧迫スリーブ１０の基部構成要素を形成するために、第２の弾性布５２、弾性材料４０、および第１の弾性布５１を共に圧迫するように、圧力Ｐを適用する。好ましくは、弾性布５２、弾性材料４０、および第１の弾性布５１は、非硬化または部分的に非硬化の弾性材料４０の粘り気、粘着性、もしくはタック性に起因して、結合、固着、または付着する。本明細書中で、弾性布５２、弾性材料４０、および第１の弾性布５１は、単一もしくは複数の縫い、縁取り、糊付け、紐、編み、加熱、熱圧着、ステープル綴じ、スナップ止め、面ファスナー、テープ止めを介して結合、固着、もしくは付着し得るか、または別様に、凍結療法および圧迫スリーブ１０もしくはスリーブ本体２０を平らな２次元平面、管もしくは円筒の形態に構成または形状決めするように取り付けられ得ると考えられる。次に、第１の弾性布５１および第２の弾性布５２は、単一もしくは複数の縫い、縁取り、糊付け、紐、編み、加熱、熱圧着、ステープル綴じ、スナップ止め、面ファスナー、テープ止めを介して周縁部７０の周りに縫合され７１得るか、または別様に、弾性材料４０を弾性布５０の内部に保持するように取り付けられ得る。次に、第１の弾性布５１および第２の弾性布５２は、単一もしくは複数の縫い、縁取り、糊付け、紐、編み、加熱、熱圧着、ステープル綴じ、スナップ止め、面ファスナー、テープ止めを介して周縁部７０の周りに縫合され７２得るか、または別様に、弾性材料４０を弾性布５０の内部に保持するように取り付けられ得る。次に、第１の弾性布５１および第２の弾性布５２は、単一もしくは複数の縫い、縁取り、糊付け、紐、編み、加熱、熱圧着、ステープル綴じ、スナップ止め、面ファスナー、テープ止めを介して周縁部７０の周りに縫合され７４得るか、または別様に、弾性材料４０を弾性布５０の内部に保持するように取り付けられ得る。本明細書中で、第１の弾性布５１および第２の弾性布５２は、弾性材料４０を弾性布５０の内部に保持するように、１つ以上またはすべての側部上で縫合されるか、または別様に取り付けられ得ると考えられる。
【００４９】
次に、図６を参照すると、図１〜５に示す弾性材料４０と組み合わせるか、または一体的な弾性布５０の主な要素を有する凍結療法および圧迫スリーブ１０を製造および使用する方法のフロー図６００が図示される。ブロックまたはステップ６１０において、トレイ４８等の金型もしくは鋳型内に１つ以上の弾性材料４０の平面または管状もしくは円筒状区分を形成する。ブロックまたはステップ６１５Ａにおいて、弾性布５０の上に弾性材料４０を位置付け、より具体的には、第１の材料表面４４が、第１の弾性布５１の上に位置付けられるか、またはこれに固着され得る。ブロックまたはステップ６１５Ｂにおいて、弾性布５０を弾性材料４０の上に位置付けるか、または弾性材料４０の上で折り畳み、より具体的には、第１の材料表面４４は、第２の弾性布５２の上に位置付けられるか、または第２の弾性布５２に固着され得る。ブロックまたはステップ６２０において、圧力Ｐを加えるか、または第２の弾性布５２、弾性材料４０、および第１の弾性布５１を共に固着させて、凍結療法および圧迫スリーブ１０の基部構成要素を形成する。ブロックまたはステップ６２５において、弾性材料４０を内部に保持するために、第１の弾性布５１および第２の弾性布５２を周縁部７０の周りに固着させるか、または密閉する。ブロックまたはステップ６３０において、第１の布縁部６１および第２の布縁部６２を固着させて、足首、膝、手首、肘、または他の体の一部等のユーザＵの体の一部もしくは四肢の区分を覆う、直径３０もしくは他の形状（または凍結療法および圧迫スリーブ１０）を有する、円筒、スリーブ形状、または管、管形状、もしくは開口管として弾性材料４０を組み合わせるか、または一体的な多方向伸縮弾性布５０を形成する。ブロックまたはステップ６３５において、凍結療法および圧迫スリーブ１０を低温もしくは高温にするのに必要な持続時間の間、凍結療法および圧迫スリーブ１０を、冷凍庫もしくはマイクロ波等の低温もしくは高温環境に曝す。ブロックまたはステップ６４０において、凍結療法および圧迫スリーブ１０の第１のスリーブ開口２１および第２のスリーブ開口２２を通して位置付けるか、または適合させる。ブロックまたはステップ６４５において、ユーザＵの体の一部もしくは四肢の区分を覆うように高温または低温を伝達し、ユーザＵの体の一部もしくは四肢の区分を組み合わせ圧迫する。
【００５０】
前述の説明および図は、本発明の図示的な実施形態を含む。例示的な実施形態をそのように記載したが、本開示内で例示するのみであり、本発明の範囲内で、種々の他の代替、適合、および変形を行ってもよいことが、当業者により留意されるべきである。方法のステップを単に一定の順序で列挙するか、または符号付けすることは、この方法のステップの順序に対するいかなる限定を構成するものではない。本発明が関連する当業者であれば、前述の説明および関連する図内に提示された教示の利益を有する、本発明の多くの変形例および他の実施形態を思い付くだろう。本明細書中に特定の用語が用いられている場合があるが、それらは、一般的かつ説明的な意味でのみ使用されており、限定するためのものではない。さらに、本発明は、詳細に記載されているが、添付の特許請求の範囲により規定される本発明の精神および範囲から逸脱することなく、これに種々の変更、置換、および代替を行うことができることが理解されるべきである。したがって、本発明は、本明細書に図示されている特定の実施形態に限定されないが、下記の特許請求の範囲によってのみ限定される。
【図１】
2018525194.tif 000003
【図２】
2018525194.tif 000004
【図３】
2018525194.tif 000005
【図４】
2018525194.tif 000006
【図５】
2018525194.tif 000007
【図６】
2018525194.tif 000008
【国際調査報告】
2018525194.tif 000009